(57)【特許請求の範囲】
【請求項１】
極低温液体のための貯蔵空間の範囲を定めるジャケット（１）と、上記貯蔵空間内に配置された少なくとも１つの区画壁（２）と、を有する、推進剤を収容するように仕向けられた打ち上げロケットのための極低温タンクであって、
上記区画壁（２）が、上記タンク内における流体のための上部空間（ＶＳ）および下部空間（ＶＩ）の範囲を定め、上記上部空間（ＶＳ）および下部空間（ＶＩ）が、上記区画壁（２）に形成された少なくとも１つの中央の開口部（３）を介して連絡し、上記区画壁（２）が、一方で、少なくとも１つの中央の開口部（３）を介して上記上部空間（ＶＳ）から上記下部空間（ＶＩ）へ重力によって液体が流れることを許容し、他方で、加速力の作用の下で少なくとも１つの中央の開口部（３）を介して上記下部空間（ＶＩ）から上記上部空間（ＶＳ）へ流体が上昇することを防止或いは制限するように、上記タンクの底（Ｉ）に向かって上記中央の少なくとも１つの開口部（３）へ向かう傾斜を伴って上記タンクの壁（１）から上記貯蔵空間の中心へ延び、上記タンクが、上記中央の少なくとも１つの開口部（３）から分離して少なくとも１つの通路（４、１４）を上記区画壁（２）に形成し、上記上部空間（ＶＳ）と上記下部空間（ＶＩ）との間に流体連絡を与える少なくとも１つのベント（５）を有し、上記ベント（５）が、上記下部空間（ＶＩ）から上記上部空間（ＶＳ）へ上昇する方向に液体のための障害物を形成する少なくとも１つの壁（１５）を有し、
上記少なくとも１つの開口部は制約を受けず、上記ベント（５）の上記通路（４、１４）が、一方で、上記下部空間（ＶＩ）から上記上部空間（ＶＳ）への蒸気の移動を助力し、他方で、上記下部空間（ＶＩ）から上記上部空間（ＶＳ）への液体の上昇を防止或いは制限するように形成されていることを特徴とするタンク。
【請求項２】
上記ベント（５）は、上記下部空間（ＶＩ）から上記上部空間（ＶＳ）へ液体が上昇する方向における液体のための保持バリア（１５）すなわち機械的に隣接するものを上記通路（４、１４）上に規定することを特徴とする請求項１に記載のタンク。
【請求項３】
上記少なくとも１つのベント（５）は、上記タンクの上記ジャケット（１）と上記中央の少なくとも１つの開口部（３）との間で上記区画壁（２）上に配置されていることを特徴とする請求項１或いは２に記載のタンク。
【請求項４】
上記少なくとも１つのベント（５）は、上記タンクの上記ジャケット（１）に近接するように配置されていることを特徴とする請求項１乃至３のいずれかに記載のタンク。
【請求項５】
上記ベント（５）は、上記下部空間（ＶＩ）から上記上部空間（ＶＳ）へ向かう垂直方向に液体のための隣接するものを形成する少なくとも１つの壁（１５）を有することを特徴とする請求項１乃至４のいずれかに記載のタンク。
【請求項６】
上記ベント（５）の上記通路（４、１４）は、上記タンクの垂直方向と直交する方向に上記上部空間（ＶＳ）に開口することを特徴とする請求項１乃至５のいずれかに記載のタンク。
【請求項７】
上記ベント（５）は、ハウジングを有し、その内部空間が、一方で、上記区画壁に形成された少なくとも１つの第１のオリフィス（４）を介して上記下部空間（ＶＩ）に流体的に連絡し、他方で、該ハウジングに形成された少なくとも１つの第２のオリフィス（１４）を介して上記上部空間（ＶＳ）に流体的に連絡することを特徴とする請求項１乃至６のいずれかに記載のタンク。
【請求項８】
上記ハウジングは、上記上部空間（ＶＳ）内へ突出していることを特徴とする請求項７に記載のタンク。
【請求項９】
請求項１乃至８のいずれかの極低温タンクを有することを特徴とする打ち上げロケット。
【発明の詳細な説明】
【発明の概要】
【０００１】
この発明は、打ち上げロケットのための極低温タンク、およびこのようなタンクを備えた打ち上げロケットに関する。
【０００２】
弾道の状態において、或いは移動衛星基地の捕捉状態の間、推進剤がタンクの全ての壁を濡らす。このことは、タンク内における極低温液体のきわめて重大な蒸発を引き起こし、且つタンクの液体部分の上にあるガス状ドームの強い冷却を引き起こす。この問題に対する解決策は、非極低温推進剤（貯蔵できる推進剤と呼ばれる）として知られている。これらの解決策は、毛管力に基づく。これらの推進剤は、毛管作用によってタンクの底部（液体出口に近い）に保持される。熱的な毛管作用の不安定性、および毛管システムの乾燥に起因するシステムに近い蒸発の可能性、さらにこのための効率の損失のため、極低温流体にこれらの解決策を適用するのは難しい。
【０００３】
好ましくは、この発明によれば、この問題を解決するため、貯蔵空間内に中間区画壁が設けられる。一方で、この中間区画壁に形成された複数の中央開口の１つを介して、タンクの上部空間から下部空間へ、重力によって、液体の流れを許容し、他方で、加速力の作用の下で、少なくとも１つの中央開口を介して、上記下部空間から上部空間へ液体が上昇することを妨げる。
【０００４】
このタイプの解決策は、全体的に満足なものである。しかしながら、タンクを満たす場合、すなわち正常なフライト状況において、極低温液体の蒸発（貯蔵空間の内面に対して著しい）は、上述した区画壁の下に捕らえられて保持された蒸気を生出する。この区画壁の下に捕らえられた蒸気は、フライト状態において、タンクの機能特性に不利な作用をする。
【０００５】
この問題を解決するため、区画壁へのオリフィスの追加が、蒸気の泡の排出を可能にする。しかし、この解決策は、回転状態において、タンクの上部空間に向かう液体の漏れを結果として引き起こす。このような液体の漏れは、タンクの壁の濡れを制限し且つ多くの蒸発を制限することで、避けられなければならない。
【０００６】
本願発明の１つの目的は、上述した従来の欠点の全て或いはいくつかを減ずることにある。
【０００７】
このために、上述した前文によって与えられた一般的な定義と同じになる、本発明によるところのタンクは、主として、極低温液体のための貯蔵空間の範囲を定めるジャケットと、上記貯蔵空間内に配置された少なくとも１つの区画壁と、を有し、上記区画壁が、上記タンク内における流体のための上部空間および下部空間の範囲を定め、上記上部空間および下部空間が、上記区画壁に形成された少なくとも１つの制約をうけない中央の開口部を介して連絡し、上記区画壁が、一方で、少なくとも１つの中央の開口部を介して上記上部空間から上記下部空間へ重力によって液体が流れることを許容し、他方で、加速力の作用の下で少なくとも１つの中央の開口部を介して上記下部空間から上記上部空間へ流体が上昇することを防止或いは制限するように、上記タンクの底に向かって上記中央の少なくとも１つの開口部へ向かう傾斜を伴って上記タンクの壁から上記貯蔵空間の中心へ延び、上記タンクが、上記中央の少なくとも１つの開口部から分離して少なくとも１つの通路を上記区画壁に形成し、上記上部空間と上記下部空間との間に流体連絡を与える少なくとも１つのベントを有し、このベントの上記通路が、一方で、上記下部空間から上記上部空間への蒸気の移動を助力し、他方で、上記下部空間から上記上部空間への液体の上昇を防止或いは制限するように形成されていることを特徴とする。
【０００８】
従って、上記ベントは、回転状態の間、或いは所謂乱す状態（高い或いは低い重力）の間、区画壁の下に液体を収容することができる一方で、上記タンクの上部空間（区画壁の上方）に向けて蒸気の泡を排出する構造に形成されている。
【０００９】
さらに、この発明の実施例は、以下の特徴の１つ或いはそれ以上を含む：
上記ベントは、上記下部空間から上記上部空間へ液体が上昇する方向における液体のための保持バリアすなわち機械的に隣接するものを上記通路上に規定し、
上記少なくとも１つのベントは、上記タンクの上記ジャケットと上記中央の少なくとも１つの開口部との間で上記区画壁上に配置され、
上記少なくとも１つのベントは、上記タンクの上記ジャケットに近接するように配置され、
上記ベントは、上記下部空間から上記上部空間へ上昇する方向に液体のための障害物を形成する少なくとも１つの壁を有し、
上記ベントは、上記下部空間から上記上部空間へ向かう垂直方向に液体のための隣接するものを形成する少なくとも１つの壁を有し、
上記ベントの上記通路は、上記タンクの垂直方向と直交する方向に上記上部空間に開口し、
上記ベントは、ハウジングを有し、その内部空間が、一方で、上記区画壁に形成された少なくとも１つの第１のオリフィスを介して上記下部空間に流体的に連絡し、他方で、該ハウジングに形成された少なくとも１つの第２のオリフィスを介して上記上部空間に流体的に連絡し、
上記ハウジングは、上記上部空間内へ突出し、
上記ハウジングの上記内部空間は、上記区画壁に形成されて上記ジャケットから異なる距離で配置された少なくとも２つのオリフィスを介して、上記下部空間に流体的に連絡し、
上記区画壁は、上記タンクの上端および底端を通るタンクの垂直軸Ａと実質的に直交する方向に上記タンクの内側部分の殆どを超えて延び、一方で、該区画壁の少なくとも１つの上記開口部の表面領域と、他方で、上記開口部の面を通るタンクの上記垂直軸と実質的に直交する面内における上記タンクの内側部分と、の間の割合は、０．００２５と０．８の間、好ましくは、０．００２５と０．５の間、より好ましくは、０．０１と０．１の間にあり、
上記区画壁の少なくとも一部は、上記タンクの底端に向けて僅かに傾斜されており、
上記区画壁は、上記タンクの底端に向けて指向され且つ開口部を規定する管状部分を有し、
上記区画壁はフレキシブルであり、
上記少なくとも１つの開口部は、上記タンクの中央部分に配置され、
上記複数の開口部は、上記上部空間および下部空間内を同じ圧力にする。
【００１０】
この発明は、上述した或いは以下に示す特徴のいずれか１つと同じ極低温タンクを有する打ち上げロケットに関する。
【００１１】
また、この発明は、上述した或いは以下に説明する特徴のあらゆる組み合せを有するいかなる代替の装置或いは方法に関する。
【００１２】
他の特別な特徴および効果は、以下の図面を参照して、以下の説明を読むことで明らかになる。
【図面の簡単な説明】
【００１３】
【図１】図１は、部分的に充填した状態における、この発明によるところのタンクの実施例の部分断面概略図を示す。
【図２】図２は、充填した後の図１のタンクを示す。
【図３】図３は、図１および２のタンクの半分の垂直断面の部分透視開略図を示す。
【図４】図４は、この発明によるところのタンクの孔の詳細の部分断面概略図を示す。
【図５】図５は、この発明によるところのタンクの他の実施例の断面外略図を示す。
【００１４】
この発明は、“凹状の底”と呼ばれるタンク（タンク１の内側に凸面がある）への適用として、図１から図４を参照して説明される。言うまでもなく、この発明は、他のいかなるタンク形状にも適用可能であり、特に、凸状の底（図５）を備えたタンクにも適用できる。
【００１５】
図１から図４に示されたタンクは、極低温流体のための貯蔵空間の範囲を定める外側の壁、すなわちジャケット１（例えば、実質的に円筒形の中央部分および２つのドーム形にされた端部）を有する。
【００１６】
簡単のため、タンクの底部Ｉに配置された流体のための出口オリフィスは図示されていない。通常、このようなタンクは、多孔性の発泡パネルを伴う絶縁されたアルミニウム合金構造からなる。この発明の特別な特徴によると、貯蔵空間内に配置されて、重大な横方向および／或いは軸方向の加速の間、液体を保持するために配置された区画壁２を収容している。この区画壁２は、例えば、ジャケット１の内面に固定される。
【００１７】
この区画壁２は、区画壁２に形成された複数の開口部３を介して連通する液体のための上部空間ＶＳおよび下部空間ＶＩをタンク内で範囲を定める。
【００１８】
図１から図４に例示したタンクにおいて、底部の中央部分は、区画壁２の部分の上に配置される。言い換えると、この区画壁２は、タンクのへこんだ底部を囲む。この形状において、下部空間ＶＩは、一般に円環形を有する。区画壁２は、貯蔵空間の中央部分の方向に底部に向けてカーブされている。少なくとも１つの開口部３は、区画壁２のいちばん深いところのポイントに近く、貯蔵空間内へ突出するへこんだ底の周りに配置されている。
【００１９】
区画壁２のこの構造は、低い推力および低い回転の場合に、底部内に全ての或いは一部の液体を保持することを可能にするが、液体が開口部３を介して上部空間ＶＳから下部空間ＶＩへ流れることを許容する。
【００２０】
従って、液体レベルＬが区画壁２より下（図１）である場合、区画壁２は、上部空間ＶＳへの液体の上昇を避けることができる。また、区画壁２は、回転を伴う状態の結果として与えられる加速のときの逆の加速の場合、液体を貯蔵することをも可能にする。
【００２１】
従って、区画壁２のおかげで、これらストレス状態の間、液体は、きちんと範囲を定められた壁の表面を濡らし、比較的熱い上部のガス状ドームに接触することがない。従って、液体の蒸発は制限される。タンク内におけるガス状ドームの冷却も制限される。
【００２２】
複数の開口部３は制約を受けない。換言すれば、格子、フィルター、或いは同等物を備えていない。つまり、上部空間ＶＳおよび下部空間ＶＩは、１つ、および同一の圧力を有する同じ貯蔵空間を形成する（表面張力を有するタンクではなく）。この発明によるところのタンクと異なり、表面張力を有するタンクが濾過器を使用する。言うまでも無く、複数の開口部は、図面に示された形に限らない形を有する。
【００２３】
区画壁２は、特に、タンクが液体水素（比較的軽い）を貯蔵する場合、非常に軽い材料（グラスファイバー、或いは他の適した材料、例えばポリアラミド、ポリエステル、ポリイミドなど）で形成される。
【００２４】
効果的な特別な特徴によると、タンクは、少なくとも１つのベント５、例えば４つのベントも有する。各ベント５は、少なくとも１つの通路４、１４を中央の少なくとも１つの開口部３から離れて区画壁２に形成し、タンクの上部空間ＶＳと下部空間ＶＩとの間に流体連絡を提供する。ベント５の通路４、１４は、一方で、下部空間ＶＩから上部空間ＶＳへの蒸気の移動を許容し、他方で、加速状態における下部空間ＶＩから上部空間ＶＳへの液体の上昇を防止或いは制限するように形成されている。
【００２５】
例えば、各ベント５は、下部空間ＶＩから上部空間ＶＳへ液体が上昇する方向における液体のための保持バリア或いは機械的に隣接するものを通路４、１４上に規定する。他方で、このバリア１５すなわち機械的に隣接するものは、上部空間ＶＳ内へ開口するオリフィス１４に向けて蒸気をガイドする。好ましくは、これら複数のベント５は、タンクのジャケット１と中央の少なくとも１つの開口部３との間で区画壁２上に配置されている。図面に見ることができるように、これら複数のベント５は、より好ましくは、タンクの周辺ジャケット１に近接するように配置される。
【００２６】
例示的に、しかし開示された実施例を制限する手段によらず、各ベント５は、下部空間ＶＩから上部空間ＶＳに上昇する方向に液体のための障害物の範囲を定める少なくとも１つの壁１５を有する。このベント５は、特に、下部空間ＶＩから上部空間ＶＳへ向かう垂直方向に、液体のための隣接するものを形成する少なくとも１つの壁１５を有する。このベント５は、例えば、区画壁２に付加されたハウジングを有し、その内部空間は、一方で、下部空間ＶＩに流体的に連通し、他方で、上部空間ＶＳに流体的に連通する。
【００２７】
例えば、ハウジングの内部空間は、区画壁２に形成された少なくとも２つのオリフィス４を介して、下部空間ＶＩに流体的に連絡している。好ましくは、ハウジング５と下部空間ＶＩとの間の連絡を提供する２つのオリフィス４は、ジャケット１から異なる距離で配置され、それゆえに、傾斜した区画壁２において異なる高さに配置される。
【００２８】
このハウジング５は、例えば、タンクの垂直方向と実質的に直交する方向に開口するオリフィス１４を介して、上部空間ＶＳに連絡する。
【００２９】
この流路において、充填の間、蒸発された液体の泡が、オリフィス４、１４を通って、タンクの上部空間ＶＳに到達する（図１参照、液体レベルが陰影線によって示される）。この泡は、複数の開口部３をも通る。
【００３０】
充填の終りで（図２）、このベント５は、液体中に水没し、しかしながら、泡の上端に向かう移動を許容し続ける。
【００３１】
航行状態において、下部空間ＶＩ内にほんの少しの液体が残っていると、ベント５は、液体の上部空間ＶＳ内への上昇を防止する液体のための保持器を形成する。図４は、低い加速に関連した強い回転の間、液体の可能な形状を概略的に図示する。この液体は、周辺ジャケット１に近接したオリフィス４を介してベント５のハウジング内へ著しく流入し、周辺ジャケット１からさらに離れたオリフィス４を介して下部空間ＶＩ内へ少し流出する。蒸気は、この上部空間ＶＩ内へ開口したオリフィス１４を介して、上部空間ＶＳに向けてより簡単に逃げる。
【００３２】
言うまでも無く、この発明は、上述した実施例に限定されることはない。特に、ベントの構造や数は、適用に応じて変更可能である。
【００３３】
同様に、凸状の底を有するタンクが、１つ或いはそれ以上のベント５を備えても良い。図５は、区画壁２が底部に向けて中央開口３へ傾斜した（随意にファンネル形にされた）タンクを図示している。
以下、本願の出願当初の特許請求の範囲に記載された発明を付記する。
［１］
極低温液体のための貯蔵空間の範囲を定めるジャケット（１）と、上記貯蔵空間内に配置された少なくとも１つの区画壁（２）と、を有する、推進剤を収容するように仕向けられた打ち上げロケットのための極低温タンクであって、
上記区画壁（２）が、上記タンク内における流体のための上部空間（ＶＳ）および下部空間（ＶＩ）の範囲を定め、上記上部空間（ＶＳ）および下部空間（ＶＩ）が、上記区画壁（２）に形成された少なくとも１つの制約を受けない中央の開口部（３）を介して連絡し、上記区画壁（２）が、一方で、少なくとも１つの中央の開口部（３）を介して上記上部空間（ＶＳ）から上記下部空間（ＶＩ）へ重力によって液体が流れることを許容し、他方で、加速力の作用の下で少なくとも１つの中央の開口部（３）を介して上記下部空間（ＶＩ）から上記上部空間（ＶＳ）へ流体が上昇することを防止或いは制限するように、上記タンクの底（Ｉ）に向かって上記中央の少なくとも１つの開口部（３）へ向かう傾斜を伴って上記タンクの壁（１）から上記貯蔵空間の中心へ延び、上記タンクが、上記中央の少なくとも１つの開口部（３）から分離して少なくとも１つの通路（４、１４）を上記区画壁（２）に形成し、上記上部空間（ＶＳ）と上記下部空間（ＶＩ）との間に流体連絡を与える少なくとも１つのベント（５）を有し、このベント（５）の上記通路（４、１４）が、一方で、上記下部空間（ＶＩ）から上記上部空間（ＶＳ）への蒸気の移動を助力し、他方で、上記下部空間（ＶＩ）から上記上部空間（ＶＳ）への液体の上昇を防止或いは制限するように形成されているタンク。
［２］
上記ベント（５）は、上記下部空間（ＶＩ）から上記上部空間（ＶＳ）へ液体が上昇する方向における液体のための保持バリア（１５）すなわち機械的に隣接するものを上記通路（４、１４）上に規定することを特徴とする［１］に記載のタンク。
［３］
上記少なくとも１つのベント（５）は、上記タンクの上記ジャケット（１）と上記中央の少なくとも１つの開口部（３）との間で上記区画壁（２）上に配置されていることを特徴とする［１］或いは［２］に記載のタンク。
［４］
上記少なくとも１つのベント（５）は、上記タンクの上記ジャケット（１）に近接するように配置されていることを特徴とする［１］乃至［３］のいずれかに記載のタンク。
［５］
上記ベント（５）は、上記下部空間（ＶＩ）から上記上部空間（ＶＳ）へ上昇する方向に液体のための障害物を形成する少なくとも１つの壁（１５）を有することを特徴とする［１］乃至［４］のいずれかに記載のタンク。
［６］
上記ベント（５）は、上記下部空間（ＶＩ）から上記上部空間（ＶＳ）へ向かう垂直方向に液体のための隣接するものを形成する少なくとも１つの壁（１５）を有することを特徴とする［１］乃至［５］のいずれかに記載のタンク。
［７］
上記ベント（５）の上記通路（４、１４）は、上記タンクの垂直方向と直交する方向に上記上部空間（ＶＳ）に開口することを特徴とする［１］乃至［６］のいずれかに記載のタンク。
［８］
上記ベント（５）は、ハウジングを有し、その内部空間が、一方で、上記区画壁に形成された少なくとも１つの第１のオリフィス（４）を介して上記下部空間（ＶＩ）に流体的に連絡し、他方で、該ハウジングに形成された少なくとも１つの第２のオリフィス（１４）を介して上記上部空間（ＶＳ）に流体的に連絡することを特徴とする［１］乃至［７］のいずれかに記載のタンク。
［９］
上記ハウジングは、上記上部空間（ＶＳ）内へ突出していることを特徴とする［８］に記載のタンク。
［１０］
［１］乃至［９］のいずれかの極低温タンクを有することを特徴とする打ち上げロケット。
【図１】
0005714510.tif 000002
【図２】
0005714510.tif 000003
【図３】
0005714510.tif 000004
【図４】
0005714510.tif 000005
【図５】
0005714510.tif 000006